(57)【特許請求の範囲】
【請求項１】
撮像レンズを透過した被写体像を撮像素子で撮像して、これにより得られた撮像信号からデジタルの画像データを出力する撮像装置において、
前記画像データとして、ユーザーにより指定されたサイズの主画像データ、および前記主画像データよりも大きいサイズの予備画像データを生成する画像処理手段と、
前記主画像データおよび前記予備画像データを記録するメモリと、
前記メモリの動作を制御するメモリ制御手段と、
前記画像データのサイズを変更する第１リサイズ処理手段とを備え、
ユーザーにより指定された変更後のサイズが、前記メモリに記録された前記主画像データのサイズよりも大きい場合、前記第１リサイズ処理手段は、前記予備画像データに対してリサイズ処理を施すことを特徴とする撮像装置。
【請求項２】
ユーザーにより指定された変更後のサイズが、前記メモリに記録された前記主画像データのサイズよりも小さい場合、前記第１リサイズ処理手段は、前記主画像データに対してリサイズ処理を施すことを特徴とする請求項１に記載の撮像装置。
【請求項３】
前記メモリには、前記予備画像データを規定のコマ数分記録するための予備画像データ記録領域が設けられていることを特徴とする請求項１または２に記載の撮像装置。
【請求項４】
前記予備画像データ記録領域に空き容量がない場合、前記メモリ制御手段は、最も古い予備画像データを消去し、最新の予備画像データを記録させることを特徴とする請求項３に記載の撮像装置。
【請求項５】
前記メモリは、装置本体に内蔵される内部メモリを含み、
前記内部メモリに前記予備画像データ記録領域を設けることを特徴とする請求項３または４に記載の撮像装置。
【請求項６】
前記メモリには、前記予備画像データを規定のコマ数分記録するための予備画像データ記録領域が設けられ、
前記予備画像データ記録領域以外は、前記主画像データおよび前記予備画像データをともに記録可能な兼用領域であることを特徴とする請求項１または２に記載の撮像装置。
【請求項７】
前記予備画像データ記録領域に空き容量がなく、前記兼用領域に空き容量がある場合、前記メモリ制御手段は、前記予備画像データ記録領域の最も古い予備画像データを前記兼用領域に書き換え、前記予備画像データ記録領域に最新の予備画像データを記録させることを特徴とする請求項６に記載の撮像装置。
【請求項８】
前記メモリに空き容量がない場合、前記メモリ制御手段は、最も古い予備画像データを消去し、最新の主画像データまたは予備画像データを記録させることを特徴とする請求項６または７に記載の撮像装置。
【請求項９】
前記メモリは、装置本体に内蔵される内部メモリと、前記装置本体に着脱自在に装填される外部メモリとからなり、
前記内部メモリに前記予備画像データ記録領域を設け、
前記外部メモリに前記兼用領域を設けることを特徴とする請求項６ないし８のいずれかに記載の撮像装置。
【請求項１０】
前記メモリの残り容量から概算される前記主画像データの撮影可能枚数を表示する表示手段を備え、
前記表示手段は、前記兼用領域に記録された前記予備画像データの容量を、前記撮影可能枚数に加えて表示することを特徴とする請求項６ないし９のいずれかに記載の撮像装置。
【請求項１１】
前記予備画像データ記録領域に記録可能な前記予備画像データのコマ数を変更するための第１操作入力手段を備えることを特徴とする請求項３ないし１０のいずれかに記載の撮像装置。
【請求項１２】
前記予備画像データを一括消去するための第２操作入力手段を備えることを特徴とする請求項１ないし１１のいずれかに記載の撮像装置。
【請求項１３】
前記主画像データが前記予備画像データと同じサイズに指定されていた場合、前記メモリ制御手段は、前記主画像データのみを記録させることを特徴とする請求項１ないし１２のいずれかに記載の撮像装置。
【請求項１４】
画像の一部を切り出すトリミング処理を前記予備画像データに対して施すトリミング処理手段を備えることを特徴とする請求項１ないし１３のいずれかに記載の撮像装置。
【請求項１５】
前記トリミング処理後の前記予備画像データのサイズが、前記主画像データよりも大きい場合、前記トリミング処理後の前記予備画像データのサイズを前記主画像データのサイズに変更する第２リサイズ処理手段を備えることを特徴とする請求項１４に記載の撮像装置。
【請求項１６】
標準のカラーの色調から他の特殊な色調に画像の色調を変換する色調変換処理手段を備え、
前記予備画像データは、前記カラーの色調で記録されており、
前記主画像データが前記色調変換処理手段で前記特殊な色調に変換されて記録されていた場合、前記予備画像データを用いて前記主画像データの色調を前記カラーの色調に復元することを特徴とする請求項１ないし１５のいずれかに記載の撮像装置。
【請求項１７】
前記主画像データの色調を前記カラーの色調に復元する際に、前記予備画像データのサイズを前記主画像データのサイズに変更する第３リサイズ処理手段を備えることを特徴とする請求項１６に記載の撮像装置。
【請求項１８】
撮影が終了して前記主画像データおよび前記予備画像データを前記メモリに記録する際に、前記主画像データを前記予備画像データに自動的に書き換えるか否かを選択させる第４操作入力手段を備えることを特徴とする請求項１ないし１７のいずれかに記載の撮像装置。
【請求項１９】
前記予備画像データは、最大のサイズの画像データ、または、前記撮像信号にアナログ信号処理を施してＡ／Ｄ変換したＣＣＤ−ＲＡＷデータであることを特徴とする請求項１ないし１８のいずれかに記載の撮像装置。
【発明の詳細な説明】
【技術分野】
【０００１】
本発明は、撮像素子で被写体像を撮像して得られる撮像信号を画像データに変換し、これをメモリに記録する撮像装置に関する。
【背景技術】
【０００２】
撮像装置として、ＣＣＤなどの固体撮像素子で被写体像を撮像し、これにより得られた撮像信号をデジタルの画像データに変換して、画像データを内部メモリやメモリカードなどに記録するデジタルカメラやカメラ付き携帯電話が普及している。このような撮像装置には、一回の撮影動作で得られた撮像信号を複数の処理条件に基づいて画像処理し、サイズや画質の異なる複数の画像データに変換して、これらを記録するものがある（特許文献１、２参照）。
【特許文献１】特開２００１−２４９２８号公報
【特許文献２】特開２００３−１９９０２０号公報
【発明の開示】
【発明が解決しようとする課題】
【０００３】
ところで、撮像装置には、画像データのサイズを変更するリサイズ機能を備えたものがある。リサイズ機能は、記録済みの画像データを処理対象としているので、記録済みの画像データのサイズ以下に変更することはできるが、それよりも大きなサイズに変更することはできない。このため、例えば、ＶＧＡサイズ（６４０×４８０ドット）などの比較的小さなサイズに誤って設定して撮影を行ってしまった場合は、サイズを正しく設定して撮影を最初からやり直すか、今まで撮影した画像で諦めざるを得なかった。また、意図的にサイズを小さくして撮影を行っていた場合でも、偶然にベストショットを撮影することがあり、この場合は後でサイズを大きくしようとしても取り返しがつかない。
【０００４】
特許文献１および２に記載の技術では、サイズや画質の異なる複数の画像データを記録しているので、上記のような不都合は解消されるが、画像処理に要する時間が長く消費電力が嵩むという問題があった。そのうえ、画像データの量が膨大になるため、メモリがすぐに容量不足になるという問題があった。
【０００５】
本発明は、上記課題を鑑みてなされたものであり、ユーザーの利便性を高めることができる撮像装置を提供することを目的とする。
【課題を解決するための手段】
【０００６】
上記目的を達成するために、本発明は、撮像レンズを透過した被写体像を撮像素子で撮像して、これにより得られた撮像信号からデジタルの画像データを出力する撮像装置において、前記画像データとして、ユーザーにより指定されたサイズの主画像データ、および前記主画像データよりも大きいサイズの予備画像データを生成する画像処理手段と、前記主画像データおよび前記予備画像データを記録するメモリと、前記メモリの動作を制御するメモリ制御手段とを備えることを特徴とする。
【０００７】
前記画像データのサイズを変更する第１リサイズ処理手段を備え、ユーザーにより指定された変更後のサイズが、前記メモリに記録された前記主画像データのサイズよりも大きい場合、前記第１リサイズ処理手段は、前記予備画像データに対してリサイズ処理を施すことが好ましい。
【０００８】
ユーザーにより指定された変更後のサイズが、前記メモリに記録された前記主画像データのサイズよりも小さい場合、前記第１リサイズ処理手段は、前記主画像データに対してリサイズ処理を施すことが好ましい。
【０００９】
前記メモリには、前記予備画像データを規定のコマ数分記録するための予備画像データ記録領域が設けられていることが好ましい。
【００１０】
前記予備画像データ記録領域に空き容量がない場合、前記メモリ制御手段は、最も古い予備画像データを消去し、最新の予備画像データを記録させることが好ましい。
【００１１】
また、前記メモリは、装置本体に内蔵される内部メモリを含み、前記内部メモリに前記予備画像データ記録領域を設けることが好ましい。
【００１２】
前記メモリには、前記予備画像データを規定のコマ数分記録するための予備画像データ記録領域が設けられ、前記予備画像データ記録領域以外は、前記主画像データおよび前記予備画像データをともに記録可能な兼用領域であることが好ましい。
【００１３】
前記予備画像データ記録領域に空き容量がなく、前記兼用領域に空き容量がある場合、前記メモリ制御手段は、前記予備画像データ記録領域の最も古い予備画像データを前記兼用領域に書き換え、前記予備画像データ記録領域に最新の予備画像データを記録させることが好ましい。
【００１４】
また、前記メモリに空き容量がない場合、前記メモリ制御手段は、最も古い予備画像データを消去し、最新の主画像データまたは予備画像データを記録させることが好ましい。
【００１５】
前記メモリは、装置本体に内蔵される内部メモリと、前記装置本体に着脱自在に装填される外部メモリとからなり、前記内部メモリに前記予備画像データ記録領域を設け、前記外部メモリに前記兼用領域を設けることが好ましい。
【００１６】
前記メモリの残り容量から概算される前記主画像データの撮影可能枚数を表示する表示手段を備え、前記表示手段は、前記兼用領域に記録された前記予備画像データの容量を、前記撮影可能枚数に加えて表示することが好ましい。
【００１７】
前記予備画像データ記録領域に記録可能な前記予備画像データのコマ数を変更するための第１操作入力手段を備えることが好ましい。
【００１８】
また、前記予備画像データを一括消去するための第２操作入力手段を備えることが好ましい。
【００１９】
前記主画像データが前記予備画像データと同じサイズに指定されていた場合、前記メモリ制御手段は、前記主画像データのみを記録させることが好ましい。
【００２０】
画像の一部を切り出すトリミング処理を前記予備画像データに対して施すトリミング処理手段を備えることが好ましい。
【００２１】
前記トリミング処理後の前記予備画像データのサイズが、前記主画像データよりも大きい場合、前記トリミング処理後の前記予備画像データのサイズを前記主画像データのサイズに変更する第２リサイズ処理手段を備えることが好ましい。
【００２２】
標準のカラーの色調から他の特殊な色調に画像の色調を変換する色調変換処理手段を備え、前記予備画像データは、前記カラーの色調で記録されており、前記主画像データが前記色調変換処理手段で前記特殊な色調に変換されて記録されていた場合、前記予備画像データを用いて前記主画像データの色調を前記カラーの色調に復元することが好ましい。
【００２３】
前記主画像データの色調を前記カラーの色調に復元する際に、前記予備画像データのサイズを前記主画像データのサイズに変更する第３リサイズ処理手段を備えることが好ましい。
【００２４】
撮影が終了して前記主画像データおよび前記予備画像データを前記メモリに記録する際に、前記主画像データを前記予備画像データに自動的に書き換えるか否かを選択させる第４操作入力手段を備えることが好ましい。
【００２５】
前記予備画像データは、最大のサイズの画像データ、または、前記撮像信号にアナログ信号処理を施してＡ／Ｄ変換したＣＣＤ−ＲＡＷデータであることが好ましい。
【発明の効果】
【００２６】
本発明の撮像装置によれば、画像データとして、ユーザーにより指定されたサイズの主画像データ、および主画像データよりも大きいサイズの予備画像データを生成する画像処理手段と、主画像データおよび予備画像データを記録するメモリと、メモリの動作を制御するメモリ制御手段とを備えるので、撮影後、各種画像処理を施す際に、予備画像データを有効に活用することができる。したがって、ユーザーの利便性を高めることができる。
【発明を実施するための最良の形態】
【００２７】
図１および図２において、本発明を適用したデジタルカメラ２の前面には、撮像レンズ１０を保持するレンズ鏡胴１１が組み込まれている。レンズ鏡胴１１の上部には、ファインダ対物窓１２が設けられている。デジタルカメラ２の上面には、レリーズボタン１３、電源スイッチ１４、およびモードダイヤル１５が設けられており、側面には、開閉自在な蓋１６が設けられている。蓋１６を開くと、メモリカード４９（図３参照）が着脱自在に装填されるメモリカードスロット（図示せず）が露呈される。
【００２８】
デジタルカメラ２の背面には、ファインダ対物窓１２とともに電子ビューファインダを構成するファインダ接眼窓１７、液晶表示器（ＬＣＤ）１８、および操作部１９が設けられている。ＬＣＤ１８は、メモリカード４９から読み出した画像やスルー画像、各種メニュー画面を表示する。操作部１９は、撮像レンズ１０のズームレンズ（図示せず）をワイド側、テレ側に変倍するズーム操作ボタン２０、ＬＣＤ１８にメニュー画面を表示させる際や選択内容を決定する際に操作されるメニューボタン２１、メニュー画面内でカーソルを移動させる十字キー２２、および再生ボタン２３などから構成される。
【００２９】
レリーズボタン１３は、２段階押しのスイッチである。電子ビューファインダまたはＬＣＤ１８による被写体のフレーミングの後に、レリーズボタン１３が軽く押圧（半押し）されると、露出条件の決定（ＡＥ）、自動焦点調整（ＡＦ）などの各種撮影準備処理が施される。この状態でレリーズボタン１３がもう１度強く押圧（全押し）されると、決定された露出条件の下で一回の撮影が行われる。
【００３０】
モードダイヤル１５が回動操作されると、静止画撮影を行う静止画撮影モード、動画撮影を行う動画撮影モード、および各種設定を行う設定モードが選択的に切り替えられる。再生ボタン２３が押圧操作されると、モードダイヤル１５により選択される各種撮影モードと、撮影した画像をＬＣＤ１８に表示する再生モードとが切り替えられる。また、電源をオフした状態で再生ボタン２３が長押しされると、再生モードで電源が投入される。
【００３１】
静止画撮影モードでは、操作部１９を操作することにより、例えば、ＶＧＡサイズ（６４０×４８０ドット）、ＳＶＧＡサイズ（８００×６００ドット）、ＸＧＡサイズ（１０２４×７６８ドット）、ＳＸＧＡサイズ（１２８０×１０２４ドット）、およびＵＸＧＡサイズ（１６００×１２００ドット）の五段階で画像データのサイズを指定することが可能となっている。また、例えば、カラー、白黒、セピア、およびクロームから画像の色調を選択することも可能となっている。
【００３２】
再生モードでは、画像データのサイズを変更するリサイズ処理、画像の一部を切り出すトリミング処理、および画像の色調を変換する色調変換処理を行うことが可能となっている。なお、動画撮影モードでは、動画の撮影とともに、マイクロホン（図示せず）を介して周囲の音声が収録される。
【００３３】
図３において、撮像レンズ１０には、レンズモータ３０が接続されている。また、絞り３１には、アイリスモータ３２が接続されている。これらのモータ３０、３２はステッピングモータであり、ＣＰＵ３３に接続されたモータドライバ３４、３５から送信される駆動パルスにより動作制御される。
【００３４】
レンズモータ３０は、ズーム操作ボタン２０の操作に連動して、ズームレンズをワイド側、あるいはテレ側にステップ移動させる。また、各焦点距離において、フォーカスレンズ（図示せず）を移動させて合焦位置に停止させる。アイリスモータ３２は、絞り３１を動作させ、絞り径を調整する。
【００３５】
撮像レンズ１０および絞り３１の背後には、被写体像を撮像するＣＣＤ３６が配置されている。ＣＣＤ３６には、ＣＰＵ３３によって制御されるＣＣＤドライバ３７が接続されている。ＣＣＤドライバ３７は、ＣＣＤ３６の電荷蓄積時間と電荷掃き出しタイミングを制御するためのタイミング信号（クロックパルス）をＣＣＤ３６に出力する。
【００３６】
ＣＣＤ３６から出力された撮像信号は、アナログ信号処理部３８に入力される。アナログ信号処理部３８は、撮像信号に対して相関二重サンプリングを施し、ＣＣＤ３６の各セルの蓄積電荷量に正確に対応したＲ、Ｇ、Ｂの画像信号を出力する。そして、この画像信号を所定の増幅率で増幅し、Ａ／Ｄ変換器（Ａ／Ｄ）３９に出力する。
【００３７】
Ａ／Ｄ３９は、画像信号をＡ／Ｄ変換してデジタルの画像データ（以下、ＣＣＤ−ＲＡＷデータと呼ぶ。）を出力する。Ａ／Ｄ３９から出力されたＣＣＤ−ＲＡＷデータは、データバス４０を介してＳＤＲＡＭ４１に入力され、ＳＤＲＡＭ４１に一旦格納される。なお、アナログ信号処理部３８、およびＡ／Ｄ３９は、タイミングジェネレータ（図示せず）から入力されるタイミング信号に応じて同期駆動し、一定のフレームレートでＣＣＤ−ＲＡＷデータを出力する。
【００３８】
デジタル信号処理部４２は、ＳＤＲＡＭ４１からＣＣＤ−ＲＡＷデータを読み出して、ＣＣＤ−ＲＡＷデータに対して、階調変換、ホワイトバランス補正、γ補正などの各種画像処理を施す。デジタル信号処理部４２で画像処理が施された画像データは、リサイズ処理部４３に出力される。
【００３９】
リサイズ処理部４３は、画像データに対して画素間引きや補完などを行って、操作部１９の操作により指定されたサイズの画像データ（以下、主画像データという。）と、最も大きいサイズであるＵＸＧＡサイズの画像データ（以下、予備画像データという。）とを生成する。リサイズ処理部４３で生成された主画像データおよび予備画像データは、ＳＤＲＡＭ４１に再度格納される。
【００４０】
ＹＣ変換処理部４４は、ＳＤＲＡＭ４１からＣＣＤ−ＲＡＷデータを読み出し、ＣＣＤ−ＲＡＷデータに対して、ＲＧＢの信号を輝度信号Ｙと色差信号Ｃｒ、Ｃｂとに変換する簡易ＹＣ変換を施す。また、ＹＣ変換処理部４４は、ＳＤＲＡＭ４１から主画像データおよび予備画像データを読み出し、これらに対して本格的なＹＣ変換を施す。
【００４１】
圧縮伸張処理部４５は、ＹＣ変換処理部４４で本格的なＹＣ変換が施された主画像データおよび予備画像データに対して、所定の圧縮形式（例えば、ＪＰＥＧ形式）で画像圧縮を施す。圧縮伸張処理部４５で圧縮された主画像データおよび予備画像データは、ＳＤＲＡＭ４１に再度格納される。
【００４２】
予備画像データは、ＳＤＲＡＭ４１から内部メモリ制御部４６に読み出され、内部メモリ制御部４６の制御の下に、内部メモリ４７に記録される。内部メモリ４７には、予備画像データを規定のコマ数（１〜数コマ）分記録するための予備画像データ記録領域が設けられている。予備画像データ記録領域に記録可能な予備画像データのコマ数は、操作部１９を操作することにより変更することが可能である。また、操作部１９を操作することにより、予備画像データを一括消去することも可能となっている。なお、操作部１９を操作してユーザーが指定することにより、内部メモリ４７に主画像データを記録することも可能で、この場合は予備画像データ記録領域以外の記録領域に主画像データが記録される。
【００４３】
規定コマ数分の予備画像データが予備画像データ記録領域に記録されていた場合、内部メモリ制御部４６は、最も古い予備画像データを消去し、最新の予備画像データを記録させる。つまり、一回の撮影毎に、最も古い予備画像データが最新の予備画像データに順次更新される。
【００４４】
また、静止画撮影モードでユーザーにより指定された画像データのサイズが、予備画像データのサイズと同じＵＸＧＡサイズであった場合は、主画像データと予備画像データのサイズが同じになるため、内部メモリ制御部４６は、予備画像データを内部メモリ４７に記録させない。
【００４５】
一方、主画像データは、ＳＤＲＡＭ４１から外部メモリ制御部４８に読み出され、外部メモリ制御部４８の制御の下に、メモリカード４９に記録される。なお、主画像データおよび予備画像データは、例えば、ファイル名やタグ情報などを用いて互いに関連付けられている。
【００４６】
内部メモリ４７およびメモリカード４９に記録された予備画像データおよび主画像データは、内部メモリ制御部４６および外部メモリ制御部４８を経てＳＤＲＡＭ４１に一旦格納され、圧縮伸張処理部４５に読み出されて圧縮される前の予備画像データおよび主画像データに伸張される。
【００４７】
ＬＣＤドライバ５０には、ＹＣ変換処理部４４で簡易ＹＣ変換された２フレーム分のＣＣＤ−ＲＡＷデータが格納されるＶＲＡＭ（図示せず）が接続されている。ＶＲＡＭには、ＣＣＤ−ＲＡＷデータの書き込みと読み出しとが並行して行われる。ＬＣＤドライバ５０は、ＶＲＡＭから読み出したＣＣＤ−ＲＡＷデータをアナログのコンポジット信号に変換し、これをＬＣＤ１８にスルー画像として表示する。また、ＬＣＤドライバ５０は、圧縮伸張処理部４５で伸張された画像データを、ＬＣＤ１８に再生画像として表示する。
【００４８】
再生モードのリサイズ処理において、主画像データに対応する予備画像データが記録されていない場合、あるいは、予備画像データの記録有無に関わらず、ユーザーにより指定された変更後のサイズが、主画像データのサイズ（静止画撮影モードで指定されたサイズ）よりも小さい場合、リサイズ処理部４３は、メモリカード４９から主画像データを読み出して、主画像データに対してリサイズ処理を施す。
【００４９】
対して、主画像データに対応する予備画像データが記録されていて、且つユーザーにより指定されたサイズが、主画像データのサイズよりも大きい場合、リサイズ処理部４３は、内部メモリ４７から予備画像データを読み出して、予備画像データに対してリサイズ処理を施す。
【００５０】
トリミング処理部５１は、画像の一部を切り出すトリミング処理を画像データに対して施す。再生モードのトリミング処理において、主画像データに対応する予備画像データが記録されていた場合、トリミング処理部５１は、内部メモリ４７から予備画像データを読み出して、予備画像データに対してトリミング処理を施す。
【００５１】
対して、主画像データに対応する予備画像データが記録されていない場合、トリミング処理部５１は、メモリカード４９から主画像データを読み出して、主画像データに対してトリミング処理を施す。
【００５２】
ここで、予備画像データに対してトリミング処理を施したときに、トリミングの仕方によっては、トリミング処理後の予備画像データのサイズが、主画像データのサイズよりも大きくなることがある。この場合は、リサイズ処理部４３でトリミング処理後の予備画像データのサイズを主画像データのサイズに変更する。
【００５３】
色調変換処理部５２は、カラーから白黒、セピア、およびクロームに画像の色調を変更する色調変換処理を画像データに対して施す。静止画撮影モードにおいて、色調変換処理部５２は、主画像データに対してのみ色調変換処理を施し、予備画像データに対しては色調変換処理を施さない。つまり、予備画像データは、常にカラーの色調で記録される。
【００５４】
再生モードの色調変換処理において、主画像データが色調変換処理部５２で白黒、セピア、またはクロームに変換されて記録されていて、操作部１９を操作することでユーザーにより指定された色調がカラーであった場合、リサイズ処理部４３で予備画像データのサイズを主画像データのサイズに変更してこれを主画像データとし、主画像データの色調をカラーに復元する。
【００５５】
再生モードのリサイズ処理、トリミング処理、および色調変換処理で各処理部から出力された画像データは、圧縮伸張処理部４４で再度圧縮処理が施され、ＳＤＲＡＭ４１に格納される。外部メモリ制御部４８は、元の主画像データをメモリカード４９から消去して、ＳＤＲＡＭ４１に格納された圧縮処理済みの画像データを新たな主画像データとして書き換える。
【００５６】
ＣＰＵ３３は、制御バス５３を介して各部に制御信号を送信するとともに、各部からの応答信号を受信して、各部の動作を統括的に制御する。ＣＰＵ３３には、レリーズボタン１３、操作部１９、および各種制御用のプログラムや設定情報などが記録されたＥＥＰＲＯＭ５４が接続されている。ＣＰＵ３３は、レリーズボタン１３からの操作入力信号を受けて、レリーズボタン１３の半押し、全押しに伴う処理を各部に実行させる。また、ＣＰＵ３３は、操作部１９から入力される操作入力信号に応じて各部を動作させ、各種情報をＥＥＰＲＯＭ５４から内蔵ＲＡＭに読み出して、処理を実行する。
【００５７】
ＣＰＵ３３には、測光・測距部５５が接続されている。測光・測距部５５は、被写体の輝度、および被写体までの距離を検出し、この検出結果から露出量、ホワイトバランス補正量、および焦点距離を決定する。
【００５８】
測光・測距部５５は、スルー画像の表示中は所定のサイクルで作動している。スルー画像の表示中は、測光・測距部５５で決定された露出量に応じて、モータドライバ３５によりアイリスモータ３２が動作され、絞り３１の絞り径が制御される。絞り径のみで適正な露出量にすることができない場合は、ＣＣＤドライバ３７によりＣＣＤ３６の電荷蓄積時間が制御される。
【００５９】
測光・測距部５５は、レリーズボタン１３が半押しされたときに輝度および距離の検出を開始し、検出結果をＣＰＵ３３に逐次送信する。ＣＰＵ３３は、測光・測距部５５からの検出結果に基づいて、撮像レンズ１０、絞り３１、およびＣＣＤ３６の動作を制御する。
【００６０】
次に、上記構成を有するデジタルカメラ２の動作について、図４〜図１０を参照して説明する。デジタルカメラ２で静止画撮影を行う際には、電源スイッチ１４を操作してデジタルカメラ２の電源を投入する。そして、モードダイヤル１５を操作して静止画撮影モードを選択する。
【００６１】
静止画撮影モードでは、撮像レンズ１０、絞り３１を介して入射した被写体像がＣＣＤ３６の撮像面に結像され、これによりＣＣＤ３６から撮像信号が出力される。ＣＣＤ３６から出力された撮像信号は、アナログ信号処理部３８で相関二重サンプリングされて増幅され、Ａ／Ｄ３９でデジタルの画像データ、すなわちＣＣＤ−ＲＡＷデータに変換される。
【００６２】
ＣＣＤ−ＲＡＷデータは、データバス４０を介してＳＤＲＡＭ４１に入力され、ＳＤＲＡＭ４１に一旦格納される。ＳＤＲＡＭ４１に格納されたＣＣＤ−ＲＡＷデータは、ＹＣ変換処理部４４で簡易ＹＣ変換が施された後、ＶＲＡＭに格納される。ＶＲＡＭに格納されたＣＣＤ−ＲＡＷデータは、逐次ＬＣＤドライバ５０に読み出されて、ＬＣＤドライバ５０でコンポジット信号に変換され、ＬＣＤ１８にスルー画像として表示される。
【００６３】
スルー画像の表示中にレリーズボタン１３が半押しされると、測光・測距部５５で被写体の輝度および被写体までの距離が検出され、露出量、ホワイトバランス補正量、および焦点距離が決定される。そして、この結果に基づいてＣＰＵ３３により撮像レンズ１０、絞り３１、およびＣＣＤ３６の動作が制御され、撮影準備処理が施される。
【００６４】
次に、レリーズボタン１３の全押しにより撮影が実行されると、決定された露出量に基づいて静止画撮影が行われ、これにより得られたＣＣＤ−ＲＡＷデータがＳＤＲＡＭ４１に格納される。図４に示すように、ＳＤＲＡＭ４１に格納されたＣＣＤ−ＲＡＷデータは、デジタル信号処理部４２に読み出されて各種画像処理が施された後、リサイズ処理部４３から主画像データおよび予備画像データとして出力される。
【００６５】
リサイズ処理部４３で生成された主画像データおよび予備画像データは、ＳＤＲＡＭ４１に再び格納され、今度はＹＣ変換処理部４４に読み出されて本格的なＹＣ変換が施された後、圧縮伸張処理部４５で圧縮処理され、ＳＤＲＡＭ４１に再び格納される。ＳＤＲＡＭ４１に格納された圧縮処理後の予備画像データおよび主画像データは、内部メモリ制御部４６および外部メモリ制御部４８に読み出され、これらの制御の下に内部メモリ４７およびメモリカード４９にそれぞれ記録される。
【００６６】
このとき、静止画撮影モードでユーザーにより指定された画像データのサイズが、予備画像データのサイズと同じＵＸＧＡサイズであった場合は、予備画像データは記録されず、主画像データのみが記録される。また、規定コマ数分の予備画像データが予備画像データ記録領域に記録されていた場合は、内部メモリ制御部４６によって、最も古い予備画像データが消去され、最新の予備画像データが記録される。
【００６７】
再生ボタン２３が押圧操作されて再生モードが選択され、画像の再生指示がなされると、メモリカード４９に記録された主画像データがＳＤＲＡＭ４１に格納される。そして、ＳＤＲＡＭ４１から圧縮伸張処理部４５に主画像データが読み出され、圧縮伸張処理部４５で伸張されて元の主画像データとなり、再びＳＤＲＡＭ４１に格納される。ＳＤＲＡＭ４１に格納された伸張後の主画像データは、ＬＣＤドライバ５０に読み出されてＬＣＤ１８に再生表示される。
【００６８】
図５において、再生モードで操作部１９が操作されてリサイズ処理が選択されると、まず、主画像データに対応する予備画像データが内部メモリ４７に記録されているか否かが検索される。そして、主画像データに対応する予備画像データが記録されていた場合は、図６（Ａ）に示すように、全てのサイズが変更可能な選択肢としてＬＣＤ１８に表示される。
【００６９】
一方、主画像データに対応する予備画像データが記録されていない場合は、図６（Ｂ）に示すように、主画像データ以下のサイズ（この場合、現在の主画像データのサイズはＳＸＧＡサイズであるので、ＶＧＡ、ＳＶＧＡ、およびＸＧＡサイズ）のみが選択肢としてＬＣＤ１８に表示される。ユーザーは、操作部１９を操作して、変更したいサイズにカーソル６０を合わせて選択する。
【００７０】
図５に戻って、主画像データに対応する予備画像データが記録されていない場合、あるいは、予備画像データの記録有無に関わらず、ユーザーにより指定された変更後のサイズが、主画像データのサイズよりも小さい場合には、メモリカード４９からリサイズ処理部４３に主画像データが読み出され、リサイズ処理部４３で主画像データに対してリサイズ処理が施される。
【００７１】
対して、主画像データに対応する予備画像データが記録されていて、且つユーザーにより指定されたサイズが、主画像データのサイズよりも大きい場合には、内部メモリ４７からリサイズ処理部４３に予備画像データが読み出され、リサイズ処理部４３で予備画像データに対してリサイズ処理が施される。リサイズ処理後、外部メモリ制御部４８により、元の主画像データがメモリカード４９から消去され、リサイズ処理後の画像データが新たな主画像データとして書き換えられる。
【００７２】
図７において、再生モードで操作部１９が操作されてトリミング処理が選択されると、リサイズ処理の場合と同様に、主画像データに対応する予備画像データが内部メモリ４７に記録されているか否かが検索される。そして、主画像データに対応する予備画像データが記録されていた場合は、予備画像データに基づいた画像がＬＣＤ１８に再生表示される。
【００７３】
一方、主画像データに対応する予備画像データが記録されていない場合は、主画像データに基づいた画像がＬＣＤ１８に再生表示される。図８に示すように、ユーザーは、操作部１９を操作して、切り出したい画像の範囲をトリミング枠６１で指定する。
【００７４】
図７に戻って、トリミング枠６１が指定されると、予備画像データが記録されていた場合は予備画像データ、予備画像データが記録されていない場合は主画像データに対して、トリミング処理部５１でトリミング枠６１に沿って画像を切り出すトリミング処理が施される。
【００７５】
予備画像データに対してトリミング処理を施した際に、トリミング処理後の予備画像データのサイズが、主画像データのサイズよりも大きくなった場合は、リサイズ処理部４３で、トリミング処理後の予備画像データのサイズが、主画像データのサイズに変更される。
【００７６】
トリミング処理後、外部メモリ制御部４８により、元の主画像データがメモリカード４９から消去され、トリミング処理後の画像データが新たな主画像データとして書き換えられる。予備画像データに対してトリミング処理を施した場合は、内部メモリ制御部４６により、トリミング処理に用いた予備画像データが内部メモリ４７から消去される。
【００７７】
図９において、再生モードで操作部１９が操作されて色調変換処理が選択されると、色調変換処理の対象となる主画像データの色調がカラーであった場合には、図１０（Ａ）に示すように、カラー以外の色調（白黒、セピア、クローム）が変更可能な選択肢としてＬＣＤ１８に表示される。
【００７８】
主画像データの色調がカラー以外で、且つ主画像データに対応する予備画像データが記録されていた場合には、図１０（Ｂ）に示すように、カラーを含む主画像データの色調以外の色調（この場合は白黒、セピア）が変更可能な選択肢としてＬＣＤ１８に表示される。ユーザーは、操作部１９を操作して、変更したい色調にカーソル６０を合わせて選択する。なお、主画像データの色調がカラー以外で、且つ主画像データに対応する予備画像データが記録されていない場合には、図１０（Ｃ）に示すように、変更不可であることを表すダイアログ６２がＬＣＤ１８に表示される。
【００７９】
図９に戻って、操作部１９が操作されて色調が選択されると、主画像データの色調がカラーであった場合は、色調変換処理部５２で、選択された色調に変換する色調変換処理が主画像データに対して施される。
【００８０】
一方、主画像データの色調がカラー以外で、且つ主画像データに対応する予備画像データが記録されていた場合は、リサイズ処理部４３で、予備画像データのサイズが、主画像データのサイズに変更される。そして、選択された色調がカラー以外であった場合は、色調変換処理部５２で、選択された色調に変換する色調変換処理が予備画像データに対して施される。色調変換処理後、外部メモリ制御部４８により、元の主画像データがメモリカード４９から消去され、色調変換処理後、またはリサイズ処理後の画像データが新たな主画像データとして書き換えられる。
【００８１】
また、主画像データの色調がカラー以外で、且つ主画像データに対応する予備画像データが記録されていて、選択された色調がカラーであった場合は、主画像データのサイズに変更された予備画像データが新たな主画像データとして書き換えられる。
【００８２】
以上説明したように、予備画像データを内部メモリ４７に記録しておくので、撮影後にリサイズ処理やトリミング処理、色調変換処理を施す際に、予備画像データを有効に活用することができる。
【００８３】
予備画像データを用いれば、撮影後でも主画像データよりも大きいサイズに変更することができるので、比較的小さなサイズに誤って設定して撮影を行ってしまった場合に、サイズを正しく設定して撮影を最初からやり直すか、今まで撮影した画像で諦めざるを得ないということがない。また、意図的にサイズを小さくして撮影を行っていた場合に、偶然にベストショットを撮影したときに取り返しがつかないということもない。
【００８４】
また、予備画像データを用いてトリミング処理を行えば、トリミング処理による画質の劣化を防止することができる。さらに、白黒、セピア、クロームなど、特殊な色調に設定して撮影を行った後に、カラーの色調に変更することは従来不可能であったが、予備画像データを用いれば、撮影後に特殊な色調で撮影した画像をカラーの色調に復元することができる。
【００８５】
上記実施形態では、内部メモリ４７にのみ予備画像データ記録領域を設けているが、この代わりに、あるいはこれに加えて、メモリカード４９に予備画像データ記録領域を設けてもよい。また、内部メモリ４７の予備画像データ記録領域はそのままで、メモリカード４９を主画像データと予備画像データとをともに記録する兼用領域としてもよい。
【００８６】
図１１において、メモリカード４９を兼用領域として使用する場合は、静止画撮影終了後、メモリカード４９に空き容量があるか否かが検知される。そして、メモリカード４９に空き容量がなく、且つメモリカード４９に予備画像データが記録されていない場合は、図１２に示すように、容量不足であることを表すダイアログ６３がＬＣＤ１８に表示される。
【００８７】
図１１に戻って、メモリカード４９に空き容量がなく、且つメモリカード４９に予備画像データが記録されていた場合は、外部メモリ制御部４８によって、メモリカード４９の最も古い予備画像データが消去され、最新の主画像データがメモリカード４９に記録される。メモリカード４９に空き容量ある場合は、予備画像データを消去するなどの処理をすることなく、そのまま最新の主画像データがメモリカード４９に記録される。
【００８８】
続いて、予備画像データ記録領域に空き容量があるか否かが検知される。そして、予備画像データ記録領域に空き容量がなく、且つメモリカード４９に空き容量がある場合には、内部メモリ制御部４６および外部メモリ制御部４８によって、予備画像データ記録領域の最も古い予備画像データがメモリカード４９に書き換えられ、最新の予備画像データが予備画像データ記録領域に記録される。
【００８９】
予備画像データ記録領域に空き容量がなく、且つメモリカード４９にも空き容量がない場合には、メモリカード４９に予備画像データが記録されているか否かが検知される。そして、メモリカード４９に予備画像データが記録されていた場合は、外部メモリ制御部４８によって、メモリカード４９の最も古い予備画像データが消去され、予備画像データ記録領域に空き容量がなく、且つメモリカード４９に空き容量がある場合と同様に、予備画像データ記録領域の最も古い予備画像データがメモリカード４９に書き換えられ、最新の予備画像データが予備画像データ記録領域に記録される。
【００９０】
一方、メモリカード４９に予備画像データが記録されていない場合は、内部メモリ制御部４６によって、予備画像データ記録領域の最も古い予備画像データが消去され、最新の予備画像データが予備画像データ記録領域に記録される。予備画像データ記録領域に空き容量がある場合は、予備画像データを消去するなどの処理をすることなく、そのまま最新の予備画像データが予備画像データ記録領域に記録される。
【００９１】
図１１に示す一連の処理を纏めると、予備画像データ記録領域に空き容量がなく、メモリカード４９に空き容量がある場合は、予備画像データ記録領域の最も古い予備画像データがメモリカード４９に書き換えられ、予備画像データ記録領域に最新の予備画像データが記録される。また、予備画像データ記録領域およびメモリカード４９に空き容量がない場合は、最も古い予備画像データが消去され、最新の主画像データまたは予備画像データが記録される。
【００９２】
つまり、なるべく主画像データを多く記録することができるように、予備画像データよりも主画像データの記録が優先される。また、規定されるコマ数分の予備画像データが記録された後は、常に少なくとも規定コマ数分の予備画像データが確保され、規定コマ数よりも減ることはない。さらに、メモリカード４９の容量がなくなってメモリカード４９の最も古い予備画像データが消去されるまでは、全ての予備画像データがストックされる。
【００９３】
なお、メモリカード４９を兼用領域として用いた場合は、メモリカード４９に記録された予備画像データは、メモリカード４９の容量がない場合は主画像データに書き換えられるので、図１３に示すＬＣＤ１８に表示されるメモリカード４９の撮影可能枚数６４を、メモリカード４９に記録された予備画像データの容量を加えて表示する。
【００９４】
また、例えば、静止画撮影終了後のある一定時間内に再生ボタン２３が押圧操作されたときに、主画像データを予備画像データに自動的に書き換えるか否かをユーザーに選択させるようにしてもよい。この場合、再生ボタン２３が押圧操作されると、図１４に示すように、主画像データを予備画像データに書き換えるか否かをユーザーに問い合わせるダイアログ６５がＬＣＤ１８に表示される。この画面で操作部１９が操作されて「はい」が選択されると、主画像データは破棄されて代わりに予備画像データが記録される。このようにすれば、再生モードに切り替えてリサイズ処理を選択し、変更サイズを選択するといった煩雑な操作をすることなく、静止画撮影後、直ちに主画像データを予備画像データに書き換えることができる。
【００９５】
上記実施形態では、最大のサイズの画像データを予備画像データとして記録しているが、予備画像データは主画像データよりも大きいサイズであればよい。また、ＣＣＤ−ＲＡＷデータを予備画像データとして記録してもよい。
【００９６】
上記実施形態では、撮像装置としてデジタルカメラ２を例示して説明したが、本発明はこれに限定されず、他の撮像装置、例えば、カメラ付き携帯電話などにも適用することができる。
【図面の簡単な説明】
【００９７】
【図１】本発明を適用したデジタルカメラの正面外観斜視図である。
【図２】デジタルカメラの背面外観図である。
【図３】デジタルカメラの電気的構成を示すブロック図である。
【図４】主画像データおよび予備画像データの記録手順を示すフローチャートである。
【図５】リサイズ処理の手順を示すフローチャートである。
【図６】リサイズ処理におけるＬＣＤの表示状態を示す図であり、（Ａ）は、予備画像データが記録されていた場合、（Ｂ）は、予備画像データ記録されていない場合をそれぞれ示す。
【図７】トリミング処理の手順を示すフローチャートである。
【図８】トリミング処理におけるＬＣＤの表示状態を示す図である。
【図９】色調変換処理の手順を示すフローチャートである。
【図１０】色調変換処理におけるＬＣＤの表示状態を示す図であり、（Ａ）は、主画像データの色調がカラーであった場合、（Ｂ）は、主画像データの色調がカラー以外で、予備画像データが記録されていた場合、（Ｃ）は、主画像データの色調がカラー以外で、予備画像データが記録されていない場合をそれぞれ示す。
【図１１】メモリカードを兼用領域とした場合の主画像データおよび予備画像データの記録手順を示すフローチャートである。
【図１２】メモリカードが容量不足であることを表すダイアログがＬＣＤに表示された状態を示す図である。
【図１３】ＬＣＤに撮影可能枚数が表示された状態を示す図である。
【図１４】静止画撮影後、主画像データを予備画像データに書き換えるか否かを問い合わせるダイアログがＬＣＤに表示された状態を示す図である。
【符号の説明】
【００９８】
２  デジタルカメラ
１０  撮像レンズ
１３  レリーズボタン
１８  液晶表示器（ＬＣＤ）
１９  操作部
２３  再生ボタン
３３  ＣＰＵ
３６  ＣＣＤ
３８  アナログ信号処理部
３９  Ａ／Ｄ変換器（Ａ／Ｄ）
４２  デジタル信号処理部
４３  リサイズ処理部
４６  内部メモリ制御部
４７  内部メモリ
４８  外部メモリ制御部
４９  メモリカード
５１  トリミング処理部
５２  色調変換処理部
６４  撮影可能枚数
【図１】
0004657971.tif 000002
【図２】
0004657971.tif 000003
【図３】
0004657971.tif 000004
【図４】
0004657971.tif 000005
【図５】
0004657971.tif 000006
【図６】
0004657971.tif 000007
【図７】
0004657971.tif 000008
【図８】
0004657971.tif 000009
【図９】
0004657971.tif 000010
【図１０】
0004657971.tif 000011
【図１１】
0004657971.tif 000012
【図１２】
0004657971.tif 000013
【図１３】
0004657971.tif 000014
【図１４】
0004657971.tif 000015